(57)【要約】【課題】複層ガラス用のサッシ框に単板ガラスを取付けることのできるグレチャンであって、サッシ框のガラス開口溝に強固にガラスを固定することのできるサッシ用グレチャンを提供する。【解決手段】複合サッシ用の横幅を有するグレチャン本体１からなるサッシ用グレチャンにおいて、グレチャン本体１は内部に空洞部５を形成されると共に、上面に単板ガラス３０の差込溝６を形成され、グレチャン本体１の空洞部５には該空洞部５に納まる外形状を有すると共に、単板ガラス３０を嵌挿する細幅溝状のガラス保持部５６を形成される補助グレチャン５０を納めてなる。【選択図】　図１
2004124389.tif 000002
【特許請求の範囲】
【請求項１】
金属框の屋内側露出部分を樹脂框にて略覆ってなる複合サッシ框のガラス挿入溝と略同幅に形成されるグレチャン本体からなるサッシ用グレチャンにおいて、上記グレチャン本体は内部に空洞部を形成されると共に、上面に単板ガラスの差込溝を形成され、
上記グレチャン本体の空洞部には該空洞部に納まる外形状を有すると共に、単板ガラスを嵌挿する細幅溝状のガラス保持部を形成される補助グレチャンを納めてなることを特徴とするサッシ用グレチャン。
【請求項２】
上記補助グレチャンは上記空洞部に略適合する外形状からなり、上記補助グレチャンの天面部及び底面部は上記グレチャン本体の空洞部に当接することを特徴とする請求項１記載のサッシ用グレチャン。
【請求項３】
上記グレチャン本体の両側面はサッシ框に挟持されるサッシ固定溝を形成し、上記補助グレチャンのガラス保持部は上記サッシ固定溝を挟持することにより単板ガラスに圧接されることを特徴とする請求項２記載のサッシ用グレチャン。
【請求項４】
上記グレチャン本体の天面部を上記差込溝から左右の側面に向かう下り傾斜の幅広状に形成することを特徴とする請求項１〜３記載のサッシ用グレチャン。
【請求項５】
上記空洞部は側面に舌片状部を有し、該舌片状部は上記補助グレチャンの外周面に当接することを特徴とする請求項１〜４記載のサッシ用グレチャン。
【請求項６】
複合サッシ用の横幅を有し、内部に空洞部を形成されると共に、上面に単板ガラスの差込溝を形成されるグレチャン本体と、上記空洞部に略適合する形状とされてなり、細幅溝状のガラス保持部を有する補助グレチャンからなるサッシ用グレチャンの取付け方法であって、
上記補助グレチャン本体をそのガラス保持部を広げて単板ガラスの周縁部に嵌込み、その後上記グレチャン本体をその差込溝を広げて、上記空洞部が上記補助グレチャン本体に嵌込み、上記補助グレチャンを上記空洞部に納めることを特徴とするサッシ用グレチャンの取付方法。
【発明の詳細な説明】
【０００１】
【発明の属する技術分野】
本発明は、サッシの框にガラスを固定するサッシ用グレチャン（グレージングチャンネル）に関し、特に複層ガラス用の框に単板ガラスを固定するサッシ用グレチャン及びサッシ用グレチャンの取付方法に関する。
【０００２】
【従来の技術】
従来、サッシの框に納められるガラスの外周には樹脂等からなるグレージングチャンネル（以下グレチャンという）を四周に渡って設けている。グレチャンを設けることにより、ガラス周縁部を保護すると共にシール性を確保することができる。
【０００３】
サッシは断熱性の向上や屋内側の意匠性の向上のために、金属枠や金属框の屋内側露出部分を樹脂枠や樹脂框で覆った複合サッシが広く用いられている。この場合、框に固定されるガラスは、断熱性を確保するために一般的には複層ガラスを用いる。
【０００４】
複層ガラスを框に固定するためのグレチャンは、例えば特開平１０−３１７８０５のように、サッシによって挟持され、複層ガラスの屋内側面及び屋外側面に圧接して固定している。複合サッシの場合は、金属框の屋内側露出部分に断熱性向上と強度確保のために中空状に形成された樹脂框を取付けるため、サッシの見込み幅は通常のサッシに比べると大きくなる。また、複層ガラスを取付けるため、単板ガラスの場合よりも厚くなり、したがってグレチャンも幅広に形成される。
【０００５】
一方、断熱性をそれほど必要としないサッシにおいては、サッシを全て金属によって形成した通常のサッシが用いられている。この場合には、ガラスも断熱性をそれほど必要としないため、一般的に単板ガラスが用いられる。ここで、単板ガラスを固定するグレチャンは、複層ガラスを固定する場合に比べると幅狭に形成される。
【０００６】
【発明が解決しようとする課題】
しかし、断熱性をそれほど必要としないサッシであっても、屋内側の意匠性を向上させるために、複合サッシを用いることがある。この場合においては、複層ガラスを用いるよりも単板ガラスを用いた方がコスト的に有利である。しかし、従来単板ガラスを固定するために用いるグレチャンは幅狭なものしかなく、複合サッシに適合するものは存在しなかった。
【０００７】
本発明は、上記問題点を解決すべくなされたものであり、複層ガラス用のサッシ框に単板ガラスを取付けることのできるグレチャンであって、サッシ框のガラス開口溝に強固にガラスを固定することのできるサッシ用グレチャンを提供することを目的とする。
【０００８】
【課題を解決するための手段】
上記課題を解決するため、本発明に係るサッシ用グレチャンは、金属框の屋内側露出部分を樹脂框にて略覆ってなる複合サッシ框のガラス挿入溝と略同幅に形成されるグレチャン本体からなるサッシ用グレチャンにおいて、
上記グレチャン本体は内部に空洞部を形成されると共に、上面に単板ガラスの差込溝を形成され、
上記グレチャン本体の空洞部には該空洞部に納まる外形状を有すると共に、単板ガラスを嵌挿する細幅溝状のガラス保持部を形成される補助グレチャンを納めてなることを特徴として構成されている。
【０００９】
また、本発明に係るサッシ用グレチャンは、上記補助グレチャンは上記空洞部に略適合する外形状からなり、上記補助グレチャンの天面部及び底面部は上記グレチャン本体の空洞部に当接することを特徴として構成されている。
【００１０】
さらに、本発明に係るサッシ用グレチャンは、上記グレチャン本体の両側面はサッシ框に挟持されるサッシ固定溝を形成し、上記補助グレチャンのガラス保持部は上記サッシ固定溝を挟持することにより単板ガラスに圧接されることを特徴として構成されている。
【００１１】
さらにまた、本発明に係るサッシ用グレチャンは、上記グレチャン本体の天面部を上記差込溝から左右の側面に向かう下り傾斜の幅広状に形成することを特徴として構成されている。
【００１２】
そして、本発明に係るサッシ用グレチャンは、上記空洞部は側面に舌片状部を有し、該舌片状部は上記補助グレチャンの外周面に当接することを特徴として構成されている。
【００１３】
また、本発明に係るサッシ用グレチャンの取付方法は、複合サッシ用の横幅を有し、内部に空洞部を形成されると共に、上面に単板ガラスの差込溝を形成されるグレチャン本体と、上記空洞部に略適合する形状とされてなり、細幅溝状のガラス保持部を有する補助グレチャンからなるサッシ用グレチャンの取付け方法であって、
上記補助グレチャン本体をそのガラス保持部を広げて単板ガラスの周縁部に嵌込み、その後上記グレチャン本体をその差込溝を広げて、上記空洞部が上記補助グレチャン本体に嵌込み、上記補助グレチャンを上記空洞部に納めることを特徴としている。
【００１４】
【発明の実施の形態】
本発明の実施形態について、図に基づいて詳細に説明する。図１は、本実施形態におけるグレチャン本体１及び補助グレチャン本体５０の断面図を示している。本実施形態におけるグレチャンは、グレチャン本体１の内部に形成された空洞部５に補助グレチャン本体５０を納めた二重構造とされてなる。また、これらグレチャン本体１及び補助グレチャン本体５０は、長手方向に略同一断面となるように極めて長い長尺状に形成される。単板ガラス３０にグレチャンを取付ける際には、適宜必要な長さに切断して用いられる。
【００１５】
本実施形態におけるグレチャン本体１は、弾力性を有する軟質の樹脂材からなり、その断面形状において、天面部２と底面部４及び左右の側面３、３からなると共に、天面部２の略中央に差込溝６を有し、差込溝６より内部には空洞部５が形成されている。また、グレチャン本体１は、複層ガラスの厚さに適合するように形成された框体２０のガラス挿入溝３１ｂに納まるように、天面部２及び底面部４を幅広に形成している。
【００１６】
グレチャン本体１の底面部４は、その底面を水平方向に平坦な平面となるように形成され、框体２０に取付ける際には、単板ガラス３０の下方に取付けられたグレチャン本体１の底面部４は、金属下框２５に設けられるセッティングブロック３２の上面に当接する。
【００１７】
また、グレチャン本体１の側面３は、その下半分は底面部４から斜め上方に延びると共に、上半分は垂直方向に延びている。左右の側面３における上半分の垂直方向に延びた部分には、サッシ固定溝３ａが形成されており、取付けの際には框体２０のガラス挟持部３１の先端部に内側に向かって設けられた係合部３１ａを係合させてグレチャン本体１を挟持する。
【００１８】
框体２０は、金属框２０ａの屋内側露出部分を樹脂框２０ｂにて覆ってなる複合サッシ用のものであり、複合サッシにおいては通常、複層ガラスが用いられるために、単板ガラス３０を固定する框体に比べて見込み幅を大きくしている。したがって、グレチャン本体１の左右の側面３、３間は、通常の単板ガラスを固定するグレチャンに比べて幅広に形成される。
【００１９】
グレチャン本体１の天面部２は、差込溝６から側面３に向かう下り傾斜状に構成されている。このように、天面部２を傾斜面で構成することにより、グレチャン本体１を単板ガラス３０に固定した場合における差込溝６付近の落込みを防ぐことができ、単板ガラス３０の周縁部における水密性を確保することができる。
【００２０】
また、グレチャン本体１の開口部より内部には、空洞部５が形成される。空洞部５には、後述する補助グレチャン本体５０を納めることができる大きさに形成される。空洞部５を形成されたグレチャン本体は、天面部２と底面部４及び側面３、３をそれぞれ薄肉状に形成されることになる。
【００２１】
空洞部５における内周面５ａの側面には、左右それぞれ１つずつ舌片状部７、７を形成されている。舌片状部７、７は、それぞれ空洞部５の内周面５ａの側面から空洞部５の中央方向に向かって斜め下方に向かう突出片として、長手方向全長に沿って形成される。なお、本実施形態においては、舌辺状部７、７を空洞部５の側面にそれぞれ１つずつ設けているが、より多くてもよい。
【００２２】
空洞部５には、単板ガラス３０を保持する補助グレチャン本体５０が納められる。補助グレチャン本体５０は、グレチャン本体１の空洞部５に略適合する形状に形成される。また、補助グレチャン本体５０は、弾力性を有する軟質の樹脂材からなり、その断面形状において、天面部５２と底面５４及び左右の側面５３、５３からなると共に、単板ガラス３０を保持するガラス保持部５６を形成されている。ガラス保持部５６は、天面部５２の略中央に開口部５５を有し、この開口部５５から溝状に形成されている。補助グレチャン本体５０は、従来の単板ガラス３０を保持するグレチャンを用いることができる。
【００２３】
補助グレチャン本体５０の外周面５１は、グレチャン本体１の空洞部５における内周面５ａに略適合する形状に形成されてなり、補助グレチャン本体５０の天面部５２及び底面５４は、それぞれグレチャン本体１の天面部２及び底面部４の内面に当接する。また、補助グレチャン本体５０の側面５３、５３は、グレチャン本体１の舌辺状部７、７に当接して、水密性を確保している。
【００２４】
補助グレチャン本体５０のガラス保持部５６は、単板ガラス３０を保持する左右の固定縦壁５７、５７と底部５８からなっており、開口部５５付近は左右の固定縦壁５７、５７間を幅狭に形成されてガラス当接部５７ａとなる。また、ガラス当接部５７ａより奥側は左右の固定縦壁５７、５７間を幅広に形成している。
【００２５】
ガラス保持部５６の底部５８は、補助グレチャン本体５０の底面５４に対して水平面として形成される。すなわち、左右の固定縦壁間５７、５７に対しては垂直な面とされる。また、単板ガラス３０をガラス保持部５６に保持する際には、単板ガラス３０の端面に当接され、補助グレチャン本体５０の単板ガラス３０に対する差込方向の位置決めをする。
【００２６】
次に、本実施形態におけるグレチャンによる、サッシに対する単板ガラス３０の固定について説明する。図２は、本実施形態におけるサッシの縦断面図を、図３は本実施形態におけるサッシの横断面図を示している。これら各図においてサッシは、建物の躯体４０に固定される上枠１１、下枠１２、及び縦枠１３、１３からなる枠体１０内に、上框２１、下框２２、及び縦框２３、２３を枠組みした框体２０に単板ガラス３０を納めた一対の障子を、引違い状に走行自在に納めてなるものである。
【００２７】
このサッシは、従来の複層ガラスを納めた複合サッシと同様の構造を有してなるものである。枠体１０を構成する各枠材は、複合型の枠材であり、ベースとなる金属枠１０ａとその屋内側露出部分を覆う樹脂枠１０ｂとから構成されている。金属枠１０ａは、金属上枠１４、金属下枠１５、金属縦枠１６、１６を方形に枠組みして構成され、樹脂枠１０ｂは、樹脂上枠１７、樹脂下枠１８、樹脂縦枠１９、１９を方形に枠組みして構成されている。
【００２８】
そして、上記樹脂上枠１７は金属上枠１４に、樹脂下枠１８は金属下枠１５に、樹脂縦枠１９は金属縦枠１６に、それぞれ取付けられている。金属上枠１４と金属下枠１５及び金属縦枠１６には、それぞれ係止片が設けられ、樹脂上枠１７と樹脂下枠１８及び樹脂縦枠１９はそれらに係合された上で、ネジによって固定される。
【００２９】
一方、障子は、枠体１０の屋外側に配される外障子４１と屋内側に配される内障子４２とからなり、上下及び左右の框材を方形状に枠組みして、単板ガラス３０を納めている。各障子は、上記枠体１０と同様に、金属框２０ａとその屋内側露出部分を覆うように取付けられた樹脂框２０ｂとからなる複合型の框材によって構成されている。すなわち、上記樹脂上框２７は金属上框２４に、樹脂下框２８は金属下框２５に、樹脂縦框２９は金属縦框２６に、それぞれ取り付けられている。金属上框２４、金属下框２５、及び金属縦框２６には、それぞれ係止片が設けられ、樹脂上框２７、樹脂下框２８及び樹脂縦框２９はそれらに係合された上で、カシメによって固定される。
【００３０】
図４は、サッシ縦断面図における単板ガラス３０の固定部分の拡大図であり、図５は、サッシ横断面図における単板ガラス３０の固定部分の拡大図である。これらの図のように、単板ガラス３０の周縁部は、四周に渡って補助グレチャン本体５０のガラス保持部５６に嵌挿され、ガラス保持部５６のガラス当接部５７ａ及び舌片状部５７ｂに圧接すると共に、単板ガラス３０の端面はガラス保持部５６の底部５８に当接している。そして、補助グレチャン本体５０は、グレチャン本体１の空洞部５に納められて二重構造とされてなり、グレチャン本体１の側面３、３のサッシ固定溝３ａ、３ａに、框体２０のガラス挟持部３１の先端部に設けられた係合部３１ａ、３１ａを係合させることによって框体２０に挟持されている。
【００３１】
ここで、ガラス挟持部３１は、その屋外側は金属框２０ａに設けられ、屋内側は樹脂框２０ｂに設けられる。したがって、グレチャン本体１は、屋外側を金属に、屋内側を樹脂によって挟持されることになる。このように、屋内側の挟持部３１を樹脂により形成することにより、屋内側の意匠の統一を図ることができる。
【００３２】
補助グレチャン本体５０のガラス保持部５６は、グレチャン本体１の側面５３、５３が框体２０のガラス挟持部３１によって挟持固定されることにより、単板ガラス３０に強く押しつけられる。このため、ガラス当接部５７ａ及び舌片状部５７ｂは、グレチャン本体１を框体２０に取付けることにより、単板ガラス３０に圧接されて、十分な水密性を確保することができる。
【００３３】
このように、本発明に係るサッシ用グレチャンは、従来の複層ガラスを納めた複合サッシと同じ構造を持ったサッシについて、単板ガラス３０を納めることができ、しかも複層ガラスの場合と同様に十分な水密性を得ることができるものである。
【００３４】
単板ガラス３０の框体２０に対する取付の際には、まず長尺状のグレチャン本体１及び補助グレチャン本体５０を単板ガラス３０の四周に取付けることのできる長さに切断する。次に、補助グレチャン本体５０のガラス保持部５６を広げて、補助グレチャン本体５０を単板ガラス３０の周縁部に嵌込む。この際に、単板ガラス３０の四隅にあたる部分は、補助グレチャン本体５０の天面部５２を残して補助グレチャン本体５０を縦方向に切断し、天面部５２は単板ガラス３０の角部に当接するようにしながら、補助グレチャン本体５０を直角に折曲げる。
【００３５】
このようにして補助グレチャン本体５０を単板ガラス３０の周縁部に嵌挿した後、グレチャン本体１の差込溝６を広げて、グレチャン本体１を補助グレチャン本体５０に嵌込み、補助グレチャン本体５０をグレチャン本体１の空洞部５に納める。また、補助グレチャン本体５０と同様に、グレチャン本体１は単板ガラス３０の四隅にあたる部分において、天面部２を残して縦方向に切断し、グレチャン本体１を直角に折曲げる。
【００３６】
以上のように、グレチャン本体１及び補助グレチャン本体５０を単板ガラス３０の四周に渡って取付けた後に、框体２０の各框材である上框２１、下框２２、左右の縦框２３、２３のガラス挟持部３１、３１によってグレチャン本体１の側面３に設けられたサッシ固定溝３ａを挟持し、各框材は框組されて框体２０に単板ガラス３０を納めた障子とする。
【００３７】
【発明の効果】
以上のように、本発明によれば、内部に空洞部を有し、複合サッシ用の横幅に形成されてなるグレチャン本体の上面に単板ガラスの差込溝を形成し、グレチャン本体の空洞部には単板ガラスを嵌挿されるガラス保持部を有する補助グレチャンを納めてなることにより、金属框と樹脂框からなる框体に単板ガラスを強固に取付けることができ、また既存の単板ガラス用グレチャンを用いることができて、複合サッシに対する単板ガラスの固定を低コストに行うことができるという効果がある。
【００３８】
また、本発明によれば、グレチャン本体の天面部を差込溝から左右の側面に向かう下り傾斜の幅広状に形成することにより、ガラスを保持する差込溝の落込みを防止することができて、グレチャンの水密性の低下を防ぐことができるという効果がある。
【００３９】
さらに、本発明によれば、空洞部は側面に舌片状部を有し、この舌片状部は補助グレチャンの外周に当接することにより、グレチャン本体と補助グレチャンとの水密性を確保することができるという効果がある。
【図面の簡単な説明】
【図１】本実施形態におけるグレチャンの断面図である。
【図２】本実施形態におけるグレチャンによって単板ガラスを障子に取付けた状態のサッシ縦断面図である。
【図３】本実施形態におけるグレチャンによって単板ガラスを障子に取付けた状態のサッシ横断面図である。
【図４】図２におけるグレチャンによる単板ガラスの固定部分の拡大図である。
【図５】図３におけるグレチャンによる単板ガラスの固定部分の拡大図である。
【符号の説明】
１　　　グレチャン本体
２　　　天面部
３　　　側面
３ａ　　サッシ固定溝
４　　　底面部
５　　　空洞部
５ａ　　内周面
６　　　差込溝
７　　　舌片状部
８　　　底部
１０　　　枠体
１０ａ　　金属枠
１０ｂ　　樹脂枠
２０　　　框体
２０ａ　　金属框
２０ｂ　　樹脂框
３０　　　単板ガラス
３１　　　ガラス挟持部
３１ａ　　係合部
３１ｂ　　ガラス挿入溝
３２　　　セッティングブロック
５０　　　補助グレチャン本体
５１　　　外周面
５２　　　天面部
５３　　　側面
５４　　　底面
５５　　　開口部
５６　　　ガラス保持部
５７　　　固定縦壁
５７ａ　　ガラス当接部
５７ｂ　　舌片状部
５８　　　底部
【図１】
2004124389.tif 000003
【図２】
2004124389.tif 000004
【図３】
2004124389.tif 000005
【図４】
2004124389.tif 000006
【図５】
2004124389.tif 000007